(57)【特許請求の範囲】
【請求項１】
横方向と前後方向を有し、錠本体を壁部に取り付けるブラケットを備え、前記錠本体の前面に位置する鍵孔に鍵を挿入した状態で前記鍵を旋回することによって前記錠本体が施錠状態と解錠状態とに変わる施錠装置において、
前記ブラケットは、前記錠本体の一部を貫通させるブラケット透孔を有するブラケット本体部と、前記ブラケット本体部から折れ曲がり、互いに対向する一対の折曲部とを備え、
一対の前記折曲部のうち、一方の前記折曲部のみが、前記壁部に前記ブラケットを取り付けるネジに螺号するネジ孔を有し、前記ネジ孔に前記ネジを螺号させて前記壁部に前記ブラケットを取り付けてあり、
前記錠本体は、施錠状態における施錠位置と、解錠状態における解錠位置とに移動可能なレバーを後面側に有し、
前記ブラケットは、一対の前記折曲部のそれぞれが貫通孔を有し、前記貫通孔のそれぞれを通して前記横方向へ移動可能な移動部材を備え、
前記移動部材は、一対の前記折曲部の間から外方へ突出するラッチを有する本体部と、前記本体部から前記前後方向へ延びて前記レバーに当接する分岐部とを有し、
前記ラッチは、前記レバーが施錠位置に位置するときには、前記折曲部から突出したラッチ施錠位置に位置する一方、前記レバーが解錠位置に位置するときには、前記ラッチ施錠位置から退行したラッチ解錠位置に位置し、
前記移動部材と前記ブラケットとの間に、前記ラッチを前記ラッチ施錠位置へ向けて付勢する付勢部材を配置してあることを特徴とする前記施錠装置。
【請求項２】
前記ブラケットの後面側には、前記錠本体が施錠状態であることを表示する第１表示部と、解錠状態であることを表示する第２表示部とを有するインジケータを配置してあり、
前記インジケータの前記第１及び第２表示部のいずれか一方のみを露出する表示窓を前記ブラケット本体部が有する請求項１に記載の施錠装置。
【請求項３】
前記錠本体は、前記壁部の前方側に位置して前記鍵孔を有する頭部と、前記壁部の壁透孔に挿入した状態で前記壁部の後方側に位置する脚部とを有し、
前記ブラケット本体部の前記ブラケット透孔は、互いに対向するブラケット孔直状部分と、前記ブラケット孔直状部分の端部を連結するブラケット孔弧状部分とを有し、
前記脚部の周面は、互いに対向する錠直状部分と、前記錠直状部分の端部を連結する錠弧状部分とを有し、前記脚部を前記ブラケット透孔に挿入した状態においては、前記錠直状部分が前記ブラケット孔直状部分に対向し、前記錠弧状部分が前記ブラケット孔弧状部分に対向し、
前記ブラケット本体部は、前記ブラケット孔直状部分の周縁に、前面側へ突出する係合凸部を有し、
前記ブラケット本体部が前記壁部の後面側に位置した状態では、前記係合凸部が前記壁透孔の係合凹部に係合する請求項１または２に記載の施錠装置。
【請求項４】
前記分岐部は、前記前後方向の一方の端部に、前記レバーに当接する当接部分を有し、前記前後方向の他方の端部に、前記ブラケットに形成された前記横方向へ延びる長孔と、前記インジケータに形成された係合長孔とをそれぞれ貫通する係合部分を有し、
前記インジケータは、軸部の旋回軸を中心に旋回可能に前記ブラケットに取り付けてあり、
前記係合長孔は、前記軸部に対して径方向の寸法が互いに異なる第１孔部と第２孔部とを有し、
前記係合部分と前記係合長孔とが係合するとともに、前記インジケータが前記軸部の前記旋回軸を中心に旋回可能に前記ブラケットに取り付けてあることによって、前記レバーの施錠位置と解錠位置との間の移動に応じて前記インジケータが前記第１表示部及び前記第２表示部のいずれか一方を前記表示窓から露出させる請求項２に記載の施錠装置。
【請求項５】
前記ラッチは、前記前後方向において、前記レバーと前記ブラケット本体部との間に位置する請求項１に記載の施錠装置。
【発明の詳細な説明】
【技術分野】
【０００１】
本発明は、施錠装置に関する。
【背景技術】
【０００２】
従来、施錠装置において、既設の施錠装置の錠本体を、新設の施錠装置の錠本体に交換できるものは公知である。例えば、従来の施錠装置９０を図６に示す。この施錠装置９０は、図６に示すように、横方向Ｘ及び前後方向Ｚと、錠本体９１及びブラケット９３とを備えている。錠本体９１は、前面側に位置する頭部９１ａと、後面側に位置し、ラッチ９６を有するラッチケース９１ｂとを有している。
【０００３】
ブラケット９３は、断面がコ字状であって、互いに対向する前板部９３ａと、後板部９３ｂと、前後板部９３ａ，９３ｂを連結する中板部９３ｃとを有し、後板部９３ｂをラッチケース９１ｂにビス９４で取り付けてあり、前板部９３ａを壁部９２にビス９５で取り付けてあるとともに、頭部９１ａの後面側に位置する雌ネジ９７と、ナット９８とを螺合させることによって取り付けてあった。
【先行技術文献】
【特許文献】
【０００４】
【特許文献１】特開２０１０−７４１８号公報
【非特許文献１】タキゲン  デジタルカタログ（総合カタログＮｏ．２３）  １０２８頁  下欄  シリンダー用後付けラッチ錠
【発明の概要】
【発明が解決しようとする課題】
【０００５】
しかしながら、上述した施錠装置９０では、ブラケット９３の前後板部９３ａ，９３ｂをそれぞれビス９４，９５によって、壁部９２及びラッチケース９１ｂに取り付けるとともに、前板部９３ａと壁部９２とを、錠本体９１の雌ネジ９７及びナット９８で取り付けるため、錠本体９１を壁部９２に取り付けるために手間がかかる課題があった。
【０００６】
本発明が課題とするところは、壁部に錠本体を取り付けるときに、手間がかからない施錠装置を提供することにある。
【０００７】
前記課題を解決するための本発明が対象とするのは、横方向と前後方向を有し、錠本体を壁部に取り付けるブラケットを備え、前記錠本体の前面に位置する鍵孔に鍵を挿入した状態で前記鍵を旋回することによって前記錠本体が施錠状態と解錠状態とに変わる施錠装置である。
【０００８】
この発明の特徴は、前記ブラケットは、前記錠本体の一部を貫通させるブラケット透孔を有するブラケット本体部と、前記ブラケット本体部から折れ曲がり、互いに対向する一対の折曲部とを備え、一対の前記折曲部のうち、一方の前記折曲部のみが、前記壁部に前記ブラケットを取り付けるネジに螺号するネジ孔を有し、前記ネジ孔に前記ネジを螺号させて前記壁部に前記ブラケットを取り付けてあり、前記錠本体は、施錠状態における施錠位置と、解錠状態における解錠位置とに移動可能なレバーを後面側に有し、前記ブラケットは、一対の前記折曲部のそれぞれが貫通孔を有し、前記貫通孔のそれぞれを通して前記横方向へ移動可能な移動部材を備え、前記移動部材は、一対の前記折曲部の間から外方へ突出するラッチを有する本体部と、前記本体部から前記前後方向へ延びて前記レバーに当接する分岐部とを有し、前記ラッチは、前記レバーが施錠位置に位置するときには、前記折曲部から突出したラッチ施錠位置に位置する一方、前記レバーが解錠位置に位置するときには、前記ラッチ施錠位置から退行したラッチ解錠位置に位置し、前記移動部材と前記ブラケットとの間に、前記ラッチを前記ラッチ施錠位置へ向けて付勢する付勢部材を配置してあること、である。
【発明の効果】
【０００９】
本発明に係る施錠装置によれば、一対の折曲部のうち、一方の折曲部のみが、壁部にブラケットを取り付けるネジに螺号するネジ孔を有し、ネジ孔にネジを螺号させて壁部にブラケットを取り付けてあるため、錠本体を壁に取り付けるときに、手間がかからない。
【図面の簡単な説明】
【００１０】
【図１】施錠装置を正面側から視た分解斜視図。
【図２】壁部、錠本体、及びブラケットを背面側から視た分解斜視図。
【図３】施錠装置の錠本体が施錠状態にある背面図。
【図４】施錠装置の錠本体が解錠状態にある背面図。
【図５】施錠装置の平面図。
【図６】従来の施錠装置における一部を破断した断面図。
【発明を実施するための形態】
【００１１】
添付の図面を参照し、この発明に係る施錠装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１２】
図１は、この発明に係る施錠装置１０の分解斜視図である。図１及び図２における双頭矢印Ｘ，Ｙ，Ｚは、施錠装置１０における互いに交差（直交）する横方向Ｘと、縦方向Ｙと、前後方向Ｚとを示している。
【００１３】
図１を参照すると、施錠装置１０は、例えば、自動販売機の筐体（不図示）の開口を開閉する壁部（扉）１１等に使用するものであって、錠本体２０とブラケット３０と係止板５０とレバー６０とナット７０とワッシャ７２とスプリングワッシャ７３とネジ７４と鍵７５とを有している。
【００１４】
錠本体２０は、前方側に位置する頭部２１と、後方側に位置する脚部２２とを有する。頭部２１の前面は、鍵７５を挿入する鍵孔２３を有している。錠本体２０は、後述するように、鍵孔２３に鍵７５を挿入した状態で鍵７５を旋回することによって、筐体に対して壁部１１を開くことが規制される施錠状態と、筐体に対して壁部１１を開くことが許容される解錠状態とに変わる。脚部２２の周面は、互いに対向する一対の錠直状部分２４ａと、錠直状部分２４ａの間を連結する一対の錠弧状部分２４ｂと有している。錠弧状部分２４ｂの外周面のみにネジを形成してあり、このネジはナット７０の内周面のネジに螺号する。
【００１５】
錠本体２０の後面側は、図２に示すように、中央にネジ孔２５ａを有し、前面側から後面側へ向けて突出する固定部２５を有する。固定部２５の周面は、長円状に形成してある。固定部２５の後面側には、図１に示すように、中心に第１係止孔５１を有し、環状の係止板５０が位置する。第１係止孔５１は長円状であって、固定部２５の外周面と、第１係止孔５１の内周面とを嵌合させて、固定部２５に係止板５０が取り付けられている。
【００１６】
係止板５０の後面側には、レバー６０が位置する。レバー６０は、環状の基端部６１と、基端部６１の周縁から径外方向へ延びる当接部６２とを有している。基端部６１は、その中央に第２係止孔６３を有している。第２係止孔６３は環状であるとともに、係止板５０の第１係止孔５１と同形同大であり、固定部２５の外周面と、第２係止孔６３の内周面とを嵌合させて、固定部２５にレバー６０が取り付けられている。
【００１７】
レバー６０の後面側には、ワッシャ７２と、スプリングワッシャ７３とを介し、固定部２５のネジ孔２５ａにネジ７４が螺合し、固定部２５のネジ孔２５ａとネジ７４との螺合によって、係止板５０及びレバー６０が固定部２５に取り付けられている。
【００１８】
壁部１１は、壁本体１２と、前後方向Ｚにおいて壁本体１２と対向する壁対向部１３と、壁本体１２と壁対向部１３とを連結する壁連結部１４と、壁対向部１３の側縁から後方へ向けて延びる壁延出部１５とを有している。
【００１９】
壁本体１２は、錠本体２０の脚部２２が挿入される壁透孔１６と、後述する表示板４４の第１表示部４４ａ及び第２表示部４４ｂのいずれか一方のみを露出させる第１表示窓１７とを有している。壁透孔１６は、互いに対向する一対の壁直状部分１６ａと、壁直状部分１６ａの端部を連結する一対の壁弧状部分１６ｂとを有している。壁部１１は、壁直状部分１６ａの周縁に、互いに離隔するように凹む一対の係合凹部１６ｃを有している。壁延出部１５は、図２に示すように、貫通孔１８と、後述するラッチ４３が進入する切欠１９とを有している。切欠１９は、壁延出部１５の後縁から前方へ向けて延びるように形成してある。
【００２０】
ブラケット３０は、錠本体２０の一部（脚部２２）を貫通させるブラケット透孔３３を有するブラケット本体部３１と、ブラケット本体部３１から折れ曲がり、互いに対向する一対の折曲部３２ａ，３２ｂと、横方向Ｘへ移動可能な移動部材４０と、インジケータである表示板４４と、コイルバネ４７とを有している。
【００２１】
ブラケット本体部３１は、ブラケット透孔３３の他に、さらに、表示板４４の第１表示部４４ａ及び第２表示部４４ｂのいずれか一方のみを露出させ、第１表示窓１７に合致する第２表示窓３４と、横方向Ｘへ直状に延びる係合孔３５とを有している。ブラケット透孔３３は、互いに対向する一対のブラケット孔直状部分３３ａと、ブラケット孔直状部分３３ａの端部を連結する一対のブラケット孔弧状部分３３ｂとを有している。ブラケット本体部３１は、ブラケット孔直状部分３３ａの周縁に、前方側へ突出する係合凸部３３ｃを有している。係合凸部３３ｃと、壁部１１の係合凹部１６ｃとが係合することによって、壁部１１に対してブラケット３０が周方向へ旋回することが規制される。
【００２２】
図２を参照すると、一対の折曲部３２ａ，３２ｂのうち、一方の折曲部３２ａの縦方向Ｙの寸法Ｌ１は、他方の折曲部３２ｂの縦方向Ｙの寸法Ｌ２よりも大きい。一対の折曲部３２ａ，３２ｂのうち、一方の折曲部３２ａのみは、壁部１１にブラケット３０を取り付けるネジ４９に螺号するネジ孔３６を有している。ブラケット３０の折曲部３２ａ，３２ｂは、移動部材４０を、横方向Ｘへスライド移動可能なように支持するための貫通孔３７をそれぞれ有している。
【００２３】
移動部材４０は、横方向Ｘへ延びる柱状の本体部４１と、前後方向Ｚへ延びる柱状の分岐部４２とを有している。図１を参照すると、本体部４１の径方向の寸法Ｒ１は、分岐部４２の径方向の寸法Ｒ２よりも大きい。本体部４１は、横方向Ｘの一方の端部に、一対の折曲部３２ａ，３２ｂの間から外方へ突出するラッチ４３を有し、横方向Ｘのほぼ中央に、前後方向Ｚへ貫通する貫通孔４１ａを有している。貫通孔４１ａには分岐部４２が挿入されており、分岐部４２は、本体部４１から後方側へ向けて延び、レバー６０に当接する当接部分４２ａと、本体部４１から前方側へ向けて延び、表示板４４の係合長孔４５及び本体部４１における横方向Ｘへ延びる係合孔３５に係合する係合部分４２ｂとを有している。
【００２４】
図１を参照すると、表示板４４は、軸部４６によって、ブラケット本体部３１に対して旋回軸４６ｘを中心に旋回可能に取り付けてある。ブラケット本体部３１に対して表示板４４を取り付けた状態では、ブラケット本体部３１の後面側に表示板４４が位置することとなる。表示板４４は、ラッチ４３が施錠位置にあることを表示する第１表示部４４ａ（緑色の表示部）と、ラッチ４３が解錠位置にあることを表示する第２表示部４４ｂ（赤色の表示部）とを有している。表示板４４は、分岐部４２の係合部分４２ｂが貫通する係合長孔４５を有している。係合長孔４５は、軸部４６の旋回軸４６ｘに対して径方向の離隔寸法が互いに異なる第１孔部４５ａと第２孔部４５ｂとを有し、係合長孔４５に係合部分４２ｂが挿入され、移動部材４０の横方向Ｘへの移動に応じて表示板４４が旋回軸４６ｘを中心に旋回することによって、第１及び第２表示窓１７，３４から、第１及び第２表示部４４ａ，４４ｂの一方のみが露出する。
【００２５】
一方の折曲部３２ｂと分岐部４２との間には、ラッチ４３を施錠位置へ付勢するとともに、レバー６０を施錠位置へ付勢するコイルバネ（付勢部材）４７を設けてある。
【００２６】
図１及び図２を参照すると、壁部１１の前面側に錠本体２０を配置する一方、壁部１１の後面側に、表示板４４を取り付けたブラケット３０を配置した状態で、錠本体２０の脚部２２を、壁部１１の壁透孔１６、及びブラケット本体部３１のブラケット透孔３３に挿入し、脚部２２の錠弧状部分２４ｂの外周面のネジに、ナット７０の内周面のネジを螺合するとともに、壁部１１の貫通孔１８とブラケット３０のネジ孔３６とを合致させ、貫通孔１８に先端を通したネジ４９をネジ孔３６に螺号することによって、壁部１１に、錠本体２０及びブラケット３０を取り付ける。
【００２７】
錠本体２０の脚部２２を壁透孔１６に挿入した状態では、錠直状部分２４ａと壁直状部分１６ａとが対向するとともに、錠弧状部分２４ｂと壁弧状部分１６ｂとが対向することによって、壁部１１に対して錠本体２０が周方向へ旋回することが規制される。加えて、錠本体２０の脚部２２をブラケット透孔３３に挿入した状態では、錠直状部分２４ａとブラケット直状部分３３ａとが対向するとともに、錠弧状部分２４ｂとブラケット孔弧状部分３３ｂとが対向することによって、ブラケット３０に対して錠本体２０が周方向へ旋回することが規制される。
【００２８】
図３を参照すると、レバー６０が施錠位置に位置し、ラッチ４３が図３中、横方向Ｘにおいて、最も右側に移動した施錠状態にあるとき（ラッチ４３がラッチ施錠位置にあるとき）には、一対の折曲部３２ａ，３２ｂの間からラッチ４３が突出し、ラッチ４３が筐体の枠（不図示）に係合し、筐体に対して壁部１１が開くのが規制される。施錠状態では、ブラケット本体部３１の第２表示窓３４を介し、壁部１１の第１表示窓１７から第１表示部４４ａが現れる。
【００２９】
この状態から、錠本体２０の鍵孔２３に鍵７５を挿入し、挿入した鍵７５を旋回させると、鍵７５の旋回とともにレバー６０が旋回する。レバー６０が旋回し、移動部材４０の係合部分４２ｂを、レバー６０の当接部６２が押圧することによって、コイルバネ４７が横方向Ｘへ圧縮され、図４に示すように、レバー６０が解錠位置に移動し、ラッチ４３がラッチ施錠位置から退行し、図４中、横方向Ｘの左側に位置するラッチ解錠位置へ移動し、ラッチ４３と筐体の枠（不図示）との係合が解除され、錠本体２０が解錠状態となって筐体に対して壁部１１が開くことが許容される。解錠状態では、ブラケット本体部３１の第２表示窓３４を介し、壁部１１の第１表示窓１７から第２表示部４４ｂが現れる。
【００３０】
本実施形態に係る施錠装置１０によれば、一対の折曲部３２ａ，３２ｂのうち、一方の折曲部３２ａのみが、壁部１１にブラケット３０を取り付けるネジ４９に螺号するネジ孔３６を有し、ネジ孔３６にネジ４９を螺号させて壁部１１にブラケット３０を取り付けてあるため、錠本体２０を壁部１１に取り付けるときに手間がかからない。
【００３１】
加えて、ブラケット３０の後面側には、錠本体２０が施錠状態であることを表示する第１表示部４４ａと、解錠状態であることを表示する第２表示部４４ｂとを有する表示板４４を配置してあり、表示板４４の第１及び第２表示部４４ａ，４４ｂのいずれか一方のみを露出する第２表示窓３４をブラケット本体部３１が有するため、施錠状態であるか解錠状態であるかが容易に分かる。
【００３２】
さらに、レバー６０に当接する当接部分４２ａ、及び表示板４４の係合長孔４５に係合する係合部分４２ｂのみを有する分岐部４２を、移動部材４０に形成してあるため、部品点数が増加することなしに、軸部４６の旋回軸４６ｘを中心に表示板４４を旋回可能にブラケット本体部３１に取り付けることができる。
【００３３】
また、移動部材４０の分岐部４２は、柱状に形成してあって、一方の端部に当接部分４２ａを有し、他方の端部に係合部分４２ｂを有するため、レバー６０から加わる力を無駄なくラッチ４３に伝達するとともに、第１及び第２表示部４４ａ，４４ｂの切り替えに利用することができる。
【００３４】
さらに、本実施形態のラッチ４３は、図５に示すように、前後方向Ｚにおいて、レバー６０とブラケット本体部３１との間に位置する。一方、従来の施錠装置では、図６に示すように、ラッチ９６は、錠本体の後面側に位置するラッチケース９１ｂが有するため、前後方向Ｚの寸法が大きくなるが、本実施形態の施錠装置１０によれば、前後方向Ｚの寸法を小さくすることができる。
【００３５】
また、本実施形態のブラケット本体部３１は、図５に示すように、壁部１１の壁本体１２の後面側に隣接するように配置してある。一方、従来の施錠装置では、図６に示すように、一対の前後板部９３ａ，９３ｂのうち一方の前板部９３ａを壁部９２の後面側に隣接させ、一対の前後板部９３ａ，９３ｂを連結する中板部９３ｃは、前後方向Ｚへ延びるように配置してあるため、前後方向の寸法が大きくなるが、本実施形態の施錠装置によれば、前後方向Ｚの寸法を小さくすることができる。
【００３６】
さらに、既設の施錠装置の錠本体を、新設の施錠装置１０の錠本体に交換することもできる。
【００３７】
これまでに説明した本発明は、少なくとも以下のように整理することができる。
横方向と前後方向を有し、錠本体を壁部に取り付けるブラケットを備え、前記錠本体の前面に位置する鍵孔に鍵を挿入した状態で前記鍵を旋回することによって前記錠本体が施錠状態と解錠状態とに変わる施錠装置において、前記ブラケットは、前記錠本体の一部を貫通させるブラケット透孔を有するブラケット本体部と、前記ブラケット本体部から折れ曲がり、互いに対向する一対の折曲部とを備え、一対の前記折曲部のうち、一方の前記折曲部のみが、前記壁部に前記ブラケットを取り付けるネジに螺号するネジ孔を有し、前記ネジ孔に前記ネジを螺号させて前記壁部に前記ブラケットを取り付けてあり、前記錠本体は、施錠状態における施錠位置と、解錠状態における解錠位置とに移動可能なレバーを後面側に有し、前記ブラケットは、一対の前記折曲部のそれぞれが貫通孔を有し、前記貫通孔のそれぞれを通して前記横方向へ移動可能な移動部材を備え、前記移動部材は、一対の前記折曲部の間から外方へ突出するラッチを有する本体部と、前記本体部から前記前後方向へ延びて前記レバーに当接する分岐部とを有し、前記ラッチは、前記レバーが施錠位置に位置するときには、前記折曲部から突出したラッチ施錠位置に位置する一方、前記レバーが解錠位置に位置するときには、前記ラッチ施錠位置から退行したラッチ解錠位置に位置し、前記移動部材と前記ブラケットとの間に、前記ラッチを前記ラッチ施錠位置へ向けて付勢する付勢部材を配置してあることを特徴とする。
【００３８】
また、本発明には、少なくとも以下の実施態様がある。
（１）  前記ブラケットの後面側には、前記錠本体が施錠状態であることを表示する第１表示部と、解錠状態であることを表示する第２表示部とを有するインジケータを配置してあり、前記インジケータの前記第１及び第２表示部のいずれか一方のみを露出する表示窓を前記ブラケット本体部が有する。
（２）  前記錠本体は、前記壁部の前方側に位置して前記鍵孔を有する頭部と、前記壁部の壁透孔に挿入した状態で前記壁部の後方側に位置する脚部とを有し、前記ブラケット本体部の前記ブラケット透孔は、互いに対向するブラケット孔直状部分と、前記ブラケット孔直状部分の端部を連結するブラケット孔弧状部分とを有し、前記脚部の周面は、互いに対向する錠直状部分と、前記錠直状部分の端部を連結する錠弧状部分とを有し、前記脚部を前記ブラケット透孔に挿入した状態においては、前記錠直状部分が前記ブラケット孔直状部分に対向し、前記錠弧状部分が前記ブラケット孔弧状部分に対向し、前記ブラケット本体部は、前記ブラケット孔直状部分の周縁に、前面側へ突出する係合凸部を有し、前記ブラケット本体部が前記壁部の後面側に位置した状態では、前記係合凸部が前記壁透孔の係合凹部に係合する。
（３）  前記分岐部は、前記前後方向の一方の端部に、前記レバーに当接する当接部分を有し、前記前後方向の他方の端部に、前記ブラケットに形成された前記横方向へ延びる長孔と、前記インジケータに形成された係合長孔とをそれぞれ貫通する係合部分を有し、前記インジケータは、軸部の旋回軸を中心に旋回可能に前記ブラケットに取り付けてあり、前記係合長孔は、前記軸部に対して径方向の寸法が互いに異なる第１孔部と第２孔部とを有し、前記係合部分と前記係合長孔とが係合するとともに、前記インジケータが前記軸部の旋回軸を中心に旋回可能に前記ブラケットに取り付けてあることによって、前記レバーの施錠位置と解錠位置との間の移動に応じて前記インジケータが前記第１表示部及び前記第２表示部のいずれか一方を前記表示窓から露出させる。
（４）  前記ラッチは、前記前後方向において、前記レバーと前記ブラケット本体部との間に位置する。
【符号の説明】
【００３９】
１０    施錠装置
１１    扉（壁部）
１６    壁透孔
１６ａ  孔直状部分
１６ｂ  孔弧状部分
１６ｃ  係合凹部
２０    錠本体
２１    頭部
２２    脚部
２３    鍵孔
２４ａ  錠直状部分
２４ｂ  錠弧状部分
３０    ブラケット
３１    ブラケット本体部
３２ａ  折曲部（一方の折曲部）
３２ｂ  折曲部（他方の折曲部）
３３    ブラケット透孔
３３ａ  ブラケット孔直状部分
３３ｂ  ブラケット孔弧状部分
３３ｃ  係合凸部
３４    第２表示窓（表示窓）
３６    ネジ孔
３７    貫通孔
４０    移動部材
４１    本体部
４２    分岐部
４２ｂ  係合部分
４３    ラッチ
４４    表示板（インジケータ）
４４ａ  第１表示部
４４ｂ  第２表示部
４５    係合長孔
４５ａ  第１孔部
４５ｂ  第２孔部
４６    軸部
４７    コイルバネ（付勢部材）
４９    ネジ
６０    レバー
７５    鍵
Ｘ      横方向
Ｚ      前後方向
【図１】
0006391553.tif 000002
【図２】
0006391553.tif 000003
【図３】
0006391553.tif 000004
【図４】
0006391553.tif 000005
【図５】
0006391553.tif 000006
【図６】
0006391553.tif 000007